(57)【特許請求の範囲】
【請求項１】
少なくとも１つの統合型粘着性ステッカ又はラベル（１０）を有するプレースマットにおいて、
前面（１４）と裏面（１６）を有し、図面部（１８）と統合型粘着性ステッカ部（２０）を備えるボンドペーパシート（１２）と、
粘着剤（３０）によって少なくとも前記ボンドペーパシート（１２）の前記粘着性ステッカ部（２０）の前記裏面（１６）の部分に固着されたライナ（４０）と、
前記ボンドペーパシート（１２）の前記統合型粘着性ステッカ部（２０）の前記裏面（１６）の少なくとも一部に粘着剤によって固着される前記ライナ（４０）上に配置されている前記少なくとも１つの統合型粘着性ステッカ部（２０）を形成するために、前記ボンドペーパシート（１２）を貫通する抜き型の切れ目（２６）と
からなることを特徴とするプレースマット。
【発明の詳細な説明】
【０００１】
【発明の属する技術分野】
本発明は、プレースマットにおいて改良されたものに関する。
【０００２】
【従来の技術】
多くのレストランの他、食事をする施設は、遊びの要素や娯楽性を有するものとして、子供や他の関心を示す利用客に予め印刷されたペーパプレースマット及び鉛筆、ペン、インクマーカ、又はクレヨン等の筆記具を提供する。それらは、衛生上の目的と同時に、公共の場において食事をする前か、最中か、後における、美的な飾り付け及び広告のためのものである。同様の例として、家族型の食事をする施設において、何もかかっていない食事用テーブルをカバーするのに使用される予め印刷されたプレースマットや、カフェテリアスタイル又はファーストフードの食事をする施設でしばしば使用される食物運搬トレー用の予め印刷されたペーパカバーを含む。これらの予め印刷されたプレースマットは、出てくる食事を待っている間や食事中に、子供や関心を示す利用客が絵を描いたり「いたずら書き」をすることができるように、鉛筆、ペン、インクマーカ又はクレヨン等の筆記具をしばしば伴う。そのような予め印刷されたプレースマットは、美しい絵のようなシーン、着色可能なラインアート、単語ゲーム、メニュー、及び食事をする施設や他の領域のビジネスに関係するその他の多くのタイプの広告をしばしば含む。例えば、予め印刷されたプレースマットは、子供や他の関心を示す利用客がカラフルな絵を創り出すために、特定の色のクレヨンで特定の場所に色を塗りたくなるような予め印刷されたデザインであるかもしれない。同様に、子供や他の関心を示す利用客は、カラフルな絵を創り出すために、特定の場所に固着され、別々に提供された粘着性ステッカで予め印刷された絵に飾り付けをしたくなるであろう。
【０００３】
本出願人は、食事をする施設のための従来技術のプレースマット及び他のエンターテインメント用の製品のいくつかのタイプの構成を知っている。第１のタイプの知られている構成は、一方の面か両方の面に印刷を施したボンドペーパの長方形のシートで構成される従来の予め印刷されたプレースマットである。そのような前もって行う印刷は、メニュー又は絵のようなシーン等の静的なデザインを提供するであろう。そのようなデザインは、プレースマットの衛生上の目的を果たし、情報を利用客に提供するだろうが、それは対話的で娯楽性を指向する特徴は提供しない。
【０００４】
食事をする施設のための従来技術のプレースマット及び他の娯楽用の製品における第２のタイプの知られている構成は、一方の面か又は両面に印刷を施したボンドペーパの長方形のシートで構成される予め印刷されたプレースマットである。このタイプの構成は、一般的に、子供や他の関心を示す利用客からの独創的な入力により、ゲームをプレーしたり、絵を描いたり、粘着性のステッカを予め印刷されたプレースマットに固着したりというようなことが行われる。予め印刷されたプレースマットそれ自体のための第２のタイプの知られている構成は、上述した第１のタイプの知られている構成で説明されたものに似ているが、一般に、第２のタイプの構成は、鉛筆、ペン、インクマーカ、又はクレヨン等の別々の図面用具及び／又は別々の圧力感応型粘着剤か「なめるとくっつく」ドライゴムステッカを必要とする。この第２のタイプの構成の欠点は、追加用具、すなわち図面用具と粘着性のステッカの一方か両方を提供しなければならず、これらの用具の誤用による潜在的な清掃上の問題と同様である。
【０００５】
米国特許Ｎｏ．４，７７８，１５３（バックマンその他、「圧力感応型粘着部を有する宣伝物及び製造方法」）には、宣伝物及び圧力感応型粘着剤が適用されたシートに別々のリリースシートを貼り合わせることをしないで圧力感応型粘着剤を有する同じものを作る方法を記載される。
【０００６】
米国特許Ｎｏ.５，２６２，２１５（シールズ、「背景上で取り外し可能な配置用の別々のピースを有する薄層物」）には、キャリアシートに対し取り外し及び結合が可能な粘着性のウェブを含む薄層物が記載される。ウェブは、複数の分離可能なピースを提示するように構成されたリリース可能な状態で固着されたサポート層とトップ層を含む。キャリアとピースは、ゲームをするか又はシーンを創り出すために協力しているしるしに付けられる。さらに、ウェブとキャリアのそれぞれのマージナルゾーンを固着するようにドライリリース粘着剤が使用される。
【０００７】
米国特許Ｎｏ．５，２６９，６９１（ウォールドマン、「ステッカアクティビティ及びカラーリングブック」）には、複数の取り外し可能で裏が粘着性のステッカページと、そのステッカページに関連し、その上にカラーで印刷されたシーン及びステッカを受け入れるためのリリースコーティングを有する場面ページと、ステッカ及び場面ページに関連し、白黒のアウトラインで場面ページ上のシーン及びシーン上のあるステッカの配列を本の利用者がステッカページからステッカの一つを取り除き、取り外されたステッカを指示ページ上に示される場面ページに移動させ、ステッカの全てが色を付ける用具から色を付けることができる表面を有する場面ページと指示ページ上に配置されてしまうまでその移動が続けられ、利用者によって指示ページが着色されるように白黒のアウトラインで場面ページ上のシーン及びシーン上のあるステッカの配列を示す指示ページとを含むステッカアクティビティ及びカラーリングブックが記載されている。
【０００８】
【発明が解決しようとする課題】
実用上の問題として、このような追加用具は、食事をする施設にとって、多くのアイテムが目録に加えられ、子供や他の関心を示す利用客に提供しなければならないという問題がある。さらに、子供が、食事をする施設のテーブル、いす、窓、ガラス製品、プレートなどの備品に「絵を描く」か又は粘着性のステッカを誤用したり貼ったりするのは共通である。そのような場合では、食事をする施設の従業員は、そのような不本意なマークと粘着性のステッカを取除かなくてはならない。これは、従業員にとって時間がかかることであり、食事をする施設において費用がかかってしまう。
【０００９】
本発明の目的は、従来の配置で起こりうる前述の問題を軽減するプレースマットを提供することである。
【００１０】
【課題を解決するための手段】
本発明は、前面と裏面を有し、図面部と統合型粘着性ステッカ部を備えるボンドペーパシートと、粘着剤によって少なくとも前記ボンドペーパシートの前記粘着性ステッカ部の前記裏面の部分に固着されたライナと、前記ボンドペーパシートの前記統合型粘着性ステッカ部の前記裏面の少なくとも一部に粘着剤によって固着される前記ライナ上に配置されている前記少なくとも１つの統合型粘着性ステッカ部を形成するために、前記ボンドペーパシートを貫通する抜き型の切れ目とからなり、少なくとも１つの統合型粘着性ステッカ又はラベルで特徴づけられるプレースマットを提供する。
【００１１】
【発明の実施の形態】
本発明の好適な実施形態は、印刷されたボンドペーパシートの裏面の少なくとも一部に固着された下側においてペーパライナを有する予め印刷されたボンドペーパシートで作られる。印刷されたボンドペーパシートの一部には、統合型粘着性のステッカ又はラベルにおける予め印刷されたデザインの取り外しを可能にする抜き型の切れ目がある。子供や他の関心を示す利用客がプレースマット上のどこを選択するとしても、粘着性のステッカ又はラベルを配置するか又は位置決めをすることによって、プレースマットに図面が完成される。希望のある場合には、固着されたステッカ及び／又はプレースマットの残りの部分には、鉛筆、ペン、インクマーカ、及びクレヨン等を含む種々の筆記具を使用して、更に飾り付けが行われるか又は着色され、絵や芸術的なシーンが創り出される。
【００１２】
ここで図面を参照するが、この図面において同様の参照をつけられたものは、いくつかの図を通して対応している構成要素を示し、最初に統合型粘着性のステッカ又はラベルを有するプレースマットの好適な実施形態の前面図を例示する図１から見ていくが、このプレースマットは、全体を通して参照数字１０で確認できる。一般に、統合型ステッカ又はラベル１０を有するプレースマットは、ボンドペーパシート１２、２０〜２８ポンドのボンドペーパストックの長方形シートであるとよく、２０ポンドのペーパストック、粘着剤３０、及びライナ４０を含むと更によい。ボンドペーパシート１２は、前面１４及び裏面１６を含むとよいが、ある好適な実施形態においては長方形ペーパボンドシートの高さは、約１０．５インチ（２６．７ｃｍ）で、幅が約１４インチ（３５．６ｃｍ）である。図１に示される統合型粘着性ステッカ又はラベル１０を有するプレースマットにおいて、ボンドペーパシート１２は、図面部１８と統合型粘着性ステッカ又はラベル部２０とに分離する。図面部１８は、一連の打ち抜き穴２２によって統合型粘着性ステッカ又はラベル部２０から切り離されるとよく、統合型粘着性のステッカ又はラベル部２０から図面部１８の取り外しが可能にされる。打抜き穴２２は、図面部１８と統合型粘着性ステッカ又はラベル部２０を容易に切り離すことができる超小型の打抜き穴であると更によい。ボンドペーパシート１２の図面部１８の前面１４は、希望があれば、予め印刷されたデザイン及び外側境界線２４を含み、外側境界線２４は丸い角を含み、粘着性ステッカ又は及びラベルが配置される範囲の境界線を示すとよい。
【００１３】
ここで図２及び図３を参照すると、ライナ４０は統合型粘着性ステッカ又はラベル部２０の裏面１６に粘着剤３０によって固着される。粘着剤３０は圧力感応型粘着剤であるとよく、ライナ４０はシリコンコーティングされたドラフトペーパであるとよいが、３５＃のシリコンコーティングされたクラフト紙ライナであると更によい。一連の連続した抜き型の切れ目２６は、ボンドペーパシート１２を貫通しているが、ライナ４０には貫通しておらず、粘着性ステッカ又はラベル２８を形成する。粘着性ステッカ又はラベル２８は、連続した抜き型の切れ目２６に沿って切り離され、外側境界線２４の内側の図面部１８上の希望の位置に配置されることが可能である。ライナ４０は、粘着剤３０で粘着性ステッカ又はラベル２８の裏面１６上の位置を維持することができ、粘着性ステッカ又はラベル２８を図面部１８に固着できるように、シリコンコーティングされているとよい。
【００１４】
図４に見られるように、例えば、サーカスをテーマにして表すように図面部１８と粘着性のステッカ又はラベル２８を予め印刷することができる。同様に、図５に見られるように、例えば水面下の海洋シーンを表すように図面部１８と粘着性のステッカ又はラベル２８を予め印刷することができる。娯楽的かつ教育的な活動を子供や他の関心を示す利用客に提供するのに、本発明の教材を用いて図面部１８及び／又は粘着性ステッカ又はラベル２８を他の種々の図面とシーンを予め印刷することができることは価値として認められるだろう。さらに、図面部１８と粘着性のステッカ又はラベル２８がボンドペーパシート素材で作られるので、鉛筆、ペン、インクマーカ、及びクレヨン等のさまざまな筆記具を使用して、更に飾り付けをするか又は着色することができる。
【００１５】
このように、本発明による統合型粘着性ステッカ又はラベル１０を有するプレースマットは、図面部１８を飾り付けるのに粘着性ステッカ又はラベル２８を用いるので筆記具等の追加用具がなくても、娯楽的かつ教育的な活動を子供や他の関心を示す利用客に提供することが容易に理解されるであろう。接着剤３０は、粘着性ステッカ又はラベルが子供や他の関心を示す利用客によって誤用された場合に、レストランの備品及び他のアイテムから取り除くことができるようなものを選択するとよい。さらに、粘着性ステッカ又はラベル２８がボンドペーパシート素材で作られるので、粘着性ステッカ又はラベル２８が食器類に固着されたままになっていた場合には、皿洗い機内で壊れる。
【００１６】
このように、統合型粘着性ステッカ又はラベル１０を有するプレースマットは、公知の従来技術プレースマット製品に本来備わっている欠点の多くに対処していることが容易に理解されるであろう。図面部１８と粘着性ステッカ又はラベル２８のサイズ、構成、及びデザインにおける種々の変更が、関連技術において通常の技術を有する者に容易に明らかにされるであろう。例えば、食事をする施設では、ある予め選択されたステッカ又はラベルの下の特別な「当たりくじ」に対し何かを与えるかもしれない。このタイプのある実施形態においては、４つのステッカ又はラベルが、「当たりくじ」を勝ち取るために４度挑戦できる統合型粘着性ステッカ又はラベル１０を有するプレースマットの「当たりくじ」のはぎ取り部分に備えられる。アイスクリームコーンや１箱のクレヨン等の当たりくじは、「当たり」の粘着性ステッカ又はラベル２８の下のライナ４０の面上に予め印刷される。このようなアレンジでは、「当たりくじ」メッセージがライナ４０に力を加えて切り取る前に、ライナ４０の裏に予め印刷されていると考えられる。さらに、ライナ４０が粘着性のステッカ又はラベル２８の取り外しの前に「当たりくじ」が見えないように不透明な素材が使用されるとよい。
【図面の簡単な説明】
【図１】本発明の好適な実施形態に応じて統合型粘着性ステッカ又はラベルを有するプレースマットの前面図を例示する。
【図２】図１に示される配置の裏側の図である。
【図３】図１の切取線３−３で切り取られ、図１に示される配置の誇張された切り取り側断面図である。
【図４】予め印刷されたサーカスのシーン及び関連する予め印刷された粘着性ステッカ又はラベルを例示する統合型粘着性ステッカ又はラベルを有するプレースマットの好適な実施形態の前面図である。
【図５】予め印刷された水面下の海洋のシーン及び関連する予め印刷された粘着性ステッカ又はラベルを例示する統合型粘着性ステッカ又はラベルを有するプレースマットの好適な実施形態の前面図である。
【符号の説明】
１０    統合型粘着性ステッカ又はラベル
１２    ボンドペーパシート
１４    前面
１６    裏面
１８    図面部
２０    統合型粘着性ステッカ又はラベル部
２２    打ち抜き穴
２４    外側境界線
２６    抜き型の切れ目
４０    ライナ
【図１】
0003784103.tif 000002
【図２】
0003784103.tif 000003
【図３】
0003784103.tif 000004
【図４】
0003784103.tif 000005
【図５】
0003784103.tif 000006